(57)【要約】【課題】身体を揺動させることでリラックス効果を付与した後にリフレッシュ効果を付与することができるリラックス装置を提供する。【解決手段】身体支持部材１３は、使用者が着座可能な座部３０と、座部３０の後部に設けられる背もたれ部３１と、座部３０の前部に設けられるオットマン３２とから構成される。そして、回旋手段を構成するエアバッグ４０，４１及びエアバッグ４５〜５０は、座部３０、背もたれ部３１、及びオットマン３２に備えられ、エアバッグ４０，４１及びエアバッグ４５〜５０が備えられる座部３０、背もたれ部３１、及びオットマン３２に支持される使用者の身体に対して捻り動作が付与される。【選択図】図２
2010075406.tif 000002
【特許請求の範囲】
【請求項１】
使用者の身体を支持する身体支持手段と、該身体支持手段を一方向に揺動動作させる揺動駆動手段と、該揺動駆動手段を制御してリラックス揺動を行う制御手段とを備えたリラックス装置であって、
前記身体支持手段には、前記使用者の身体を前記揺動動作の揺動方向とは異なる方向に捻る回旋手段が備えられ、
前記回旋手段は、前記リラックス揺動から切り替わってリラックス状態にあった前記使用者をリフレッシュさせるべく、前記使用者の身体に捻り動作を付与することを特徴とするリラックス装置。
【請求項２】
請求項１に記載のリラックス装置において、
前記身体支持手段は、前記使用者が着座可能な座部と、該座部の後部に設けられる背もたれ部と、前記座部の前部に設けられるオットマンとから構成され、
前記回旋手段は、前記座部、前記背もたれ部、及び前記オットマンの内の少なくとも１つの部材に備えられて、該部材に支持される前記使用者の身体に対して捻り動作を付与することを特徴とするリラックス装置。
【請求項３】
請求項２に記載のリラックス装置において、
前記回旋手段は、前記背もたれ部に備えられ、前記使用者の上半身に対して捻り動作を付与することを特徴とするリラックス装置。
【請求項４】
請求項２に記載のリラックス装置において、
前記回旋手段は、前記座部、前記背もたれ部、及び前記オットマンの内の少なくとも２つ以上の部材に備えられるとともに、同一方向に回旋して前記使用者の身体に捻り動作を付与することを特徴とするリラックス装置。
【請求項５】
請求項２に記載のリラックス装置において、
前記回旋手段は、前記背もたれ部及び前記オットマンの少なくとも一方の部材と、前記座部とに備えられるものであり、前記座部における捻り動作と、前記背もたれ部及び前記オットマンの少なくとも一方の部材における捻り動作とが逆方向となるように動作され、前記使用者の身体に捻り動作を付与することを特徴とするリラックス装置。
【請求項６】
請求項１〜５のいずれか一項に記載のリラックス装置において、
前記揺動駆動手段は、身体支持手段を前後方向に揺動動作させるものであり、
前記回旋手段は、前記身体支持手段の前方への動作及び後方への動作の少なくとも一方の動作中に前記使用者の身体に捻り動作を付与することを特徴とするリラックス装置。
【請求項７】
請求項６に記載のリラックス装置において、
前記回旋手段は、前記身体支持手段の前方への動作及び後方への動作の少なくとも一方が開始されると同時に、前記使用者の身体に捻り動作を付与することを特徴とするリラックス装置。
【請求項８】
請求項１〜７のいずれか一項に記載のリラックス装置において、
前記回旋手段は、時間経過に伴って捻り量が漸増するように前記使用者の身体に捻り動作を付与することを特徴とするリラックス装置。
【請求項９】
請求項１〜８のいずれか一項に記載のリラックス装置において、
前記回旋手段は、前記使用者の身体の捻り動作中にその動作を所定時間停止させ、前記使用者の捻り動作中の姿勢を所定時間保持することを特徴とするリラックス装置。
【請求項１０】
請求項１〜９のいずれか一項に記載のリラックス装置において、
前記回旋手段は、膨縮動作するエアバッグで構成されていることを特徴とするリラックス装置。
【発明の詳細な説明】
【技術分野】
【０００１】
本発明は、使用者にリラックス効果及びリフレッシュ効果を付与することができるリラックス装置に関するものである。
【背景技術】
【０００２】
従来、椅子型の身体支持部材に腰掛けた使用者の身体を揺動させることでリラックス効果を付与するリラックス装置が例えば特許文献１に開示されている。
特許文献１のリラックス装置では、身体支持部材を前後方向に揺動させる揺動駆動装置（特許文献１では加振手段）を備え、その揺動駆動装置により身体支持部材を１Ｈｚ以下の周波数で揺動させるとともに、０．２Ｈｚ以下の変動幅で周波数を漸次変化させて使用者に対してリラックス効果を与えている。
【特許文献１】特開２０００−４２１１２号公報
【発明の開示】
【発明が解決しようとする課題】
【０００３】
ところで、上記のリラックス装置では、身体を揺動させることで使用者に対してリラックス効果を付与し、身体等の緊張を解きほぐして、例えば睡眠に導くことも可能となるが、その後に使用者に対して覚醒等のリフレッシュ効果を効果的に与えるものは無く、その開発が望まれていた。
【０００４】
本発明は、上記課題を解決するためになされたものであって、その目的は、身体を揺動させることでリラックス効果を付与した後にリフレッシュ効果を付与することができるリラックス装置を提供することにある。
【課題を解決するための手段】
【０００５】
上記課題を解決するために、請求項１に記載の発明は、使用者の身体を支持する身体支持手段と、該身体支持手段を一方向に揺動動作させる揺動駆動手段と、該揺動駆動手段を制御してリラックス揺動を行う制御手段とを備えたリラックス装置であって、前記身体支持手段には、前記使用者の身体を前記揺動動作の揺動方向とは異なる方向に捻る回旋手段が備えられ、前記回旋手段は、前記リラックス揺動から切り替わってリラックス状態にあった前記使用者をリフレッシュさせるべく、前記使用者の身体に捻り動作を付与することをその要旨とする。
【０００６】
この発明では、身体支持手段には、使用者の身体を揺動動作の揺動方向とは異なる方向に捻る回旋手段が備えられる。そして、回旋手段により、リラックス揺動から切り替わってリラックス状態にあった使用者をリフレッシュさせるべく、使用者の身体が捻られる捻り動作が付与される。これにより、使用者の身体が揺動方向とは異なる方向に動作されるため、使用者にリラックス揺動とは異なる刺激を付与することでリラックス状態から覚醒状態へと導くリフレッシュ効果を付与することができる。
【０００７】
請求項２に記載の発明は、請求項１に記載のリラックス装置において、前記身体支持手段は、前記使用者が着座可能な座部と、該座部の後部に設けられる背もたれ部と、前記座部の前部に設けられるオットマンとから構成され、前記回旋手段は、前記座部、前記背もたれ部、及び前記オットマンの内の少なくとも１つの部材に備えられて、該部材に支持される前記使用者の身体に対して捻り動作を付与することをその要旨とする。
【０００８】
この発明では、身体支持手段は、使用者が着座可能な座部と、座部の後部に設けられる背もたれ部と、座部の前部に設けられるオットマンとから構成される。そして、回旋手段は、座部、背もたれ部、及びオットマンの内の少なくとも１つの部材に備えられて、回旋手段が備えられる部材に支持される使用者の身体に対して捻り動作が付与される。これにより、使用者の身体が揺動方向とは異なる方向に動作されるため、使用者にリラックス揺動とは異なる刺激を付与することでリラックス状態から覚醒状態へと導くリフレッシュ効果を付与することができる。
【０００９】
請求項３に記載の発明は、請求項２に記載のリラックス装置において、前記回旋手段は、前記背もたれ部に備えられ、前記使用者の上半身に対して捻り動作を付与することをその要旨とする。
【００１０】
この発明では、回旋手段は背もたれ部に備えられ、背もたれ部に備えられた回旋手段により使用者の上半身に対して捻り動作が付与される。つまり、使用者の上半身に対して捻り動作が行われることで、平衡感覚を司る三半規管が刺激されて、より効果的なリフレッシュ効果を付与することができる。
【００１１】
請求項４に記載の発明は、請求項２に記載のリラックス装置において、前記回旋手段は、前記座部、前記背もたれ部、及び前記オットマンの内の少なくとも２つ以上の部材に備えられるとともに、同一方向に回旋して前記使用者の身体に捻り動作を付与することをその要旨とする。
【００１２】
この発明では、回旋手段は、座部、背もたれ部、及びオットマンの内の少なくとも２つ以上の部材に備えられるとともに、その回旋手段により、同一方向に回旋して使用者の身体に捻り動作が付与される。これにより、使用者の身体の大部分に対して捻り動作を行うことができるため、より効果的なリフレッシュ効果を付与することができる。
【００１３】
請求項５に記載の発明は、請求項２に記載のリラックス装置において、前記回旋手段は、前記背もたれ部及び前記オットマンの少なくとも一方の部材と、前記座部とに備えられるものであり、前記座部における捻り動作と、前記背もたれ部及び前記オットマンの少なくとも一方の部材における捻り動作とが逆方向となるように動作され、前記使用者の身体に捻り動作を付与することをその要旨とする。
【００１４】
この発明では、回旋手段は、背もたれ部及びオットマンの少なくとも一方の部材と、座部とに備えられる。そして回旋手段により、座部における捻り動作と、背もたれ部及びオットマンの少なくとも一方の部材における捻り動作とが逆方向となるように動作され、使用者の身体に捻り動作が付与される。これにより、使用者の身体に対して付与される捻り動作の捻り量が大きくなり、使用者に対して強い刺激を与えることができ、より効果的なリフレッシュ効果を付与することができる。
【００１５】
請求項６に記載の発明は、請求項１〜５のいずれか一項に記載のリラックス装置において、前記揺動駆動手段は、身体支持手段を前後方向に揺動動作させるものであり、前記回旋手段は、前記身体支持手段の前方への動作及び後方への動作の少なくとも一方の動作中に前記使用者の身体に捻り動作を付与することをその要旨とする。
【００１６】
この発明では、揺動駆動手段により、身体支持手段を前後方向に揺動動作される。そして、回旋手段により、身体支持手段の前方への動作及び後方への動作の少なくとも一方の動作中に使用者の身体に捻り動作が付与される。つまり、身体支持手段の揺動動作と回旋手段による捻り動作との連動感が増し、より効果的なリフレッシュ効果を付与することが可能となる。
【００１７】
請求項７に記載の発明は、請求項６に記載のリラックス装置において、前記回旋手段は、前記身体支持手段の前方への動作及び後方への動作の少なくとも一方が開始されると同時に、前記使用者の身体に捻り動作を付与することをその要旨とする。
【００１８】
この発明では、身体支持手段の前方への動作及び後方への動作の少なくとも一方が開始されると同時に、回旋手段により使用者の身体に捻り動作が付与される。つまり、身体支持手段の揺動動作と回旋手段による捻り動作との連動感が更に増し、より効果的なリフレッシュ効果を付与することが可能となる。
【００１９】
請求項８に記載の発明は、請求項１〜７のいずれか一項に記載のリラックス装置において、前記回旋手段は、時間経過に伴って捻り量が漸増するように前記使用者の身体に捻り動作を付与することをその要旨とする。
【００２０】
この発明では、回旋手段により、時間経過に伴って捻り量が漸増されるように使用者の身体に捻り動作が付与される。つまり、徐々に捻り量（捻り動作の刺激量）を増やすことで、リラックス状態（睡眠状態）から徐々に覚醒状態へと導くことができるため、不快な目覚め（覚醒）を誘発することを抑制することができる。
【００２１】
請求項９に記載の発明は、請求項１〜８のいずれか一項に記載のリラックス装置において、前記回旋手段は、前記使用者の身体の捻り動作中にその動作を所定時間停止させ、前記使用者の捻り動作中の姿勢を所定時間保持することをその要旨とする。
【００２２】
この発明では、回旋手段により、使用者の身体の捻り動作中にその動作が所定時間停止され、使用者の捻り動作中の姿勢が所定時間保持されるため、その姿勢保持の間は捻り動作の刺激を与えることができ、より効果的なリフレッシュ効果を付与することができる。
【００２３】
請求項１０に記載の発明は、請求項１〜９のいずれか一項に記載のリラックス装置において、前記回旋手段は、膨縮動作するエアバッグで構成されていることをその要旨とする。
【００２４】
この発明では、膨縮動作するエアバッグで構成される回旋手段にて、使用者の身体が揺動方向とは異なる方向に動作されるため、使用者にリラックス揺動とは異なる刺激を付与することでリラックス状態から覚醒状態へと導くリフレッシュ効果を付与することができる。また、エアバッグを用いて構成することで、比較的簡単な構成とでき、身体への捻り動作を容易に付与することができる。
【発明の効果】
【００２５】
本発明によれば、身体を揺動させることでリラックス効果を付与した後にリフレッシュ効果を付与することができるリラックス装置を提供することができる。
【発明を実施するための最良の形態】
【００２６】
以下、本発明を具体化した一実施形態を図面に従って説明する。
図１は、本実施形態のリラックス装置の概略構成図を示す。図１に示すように、リラックス装置１０は、その基台１１の底部１１ａが図示しない床面に載置されるとともに、基台１１に設けられた揺動駆動手段としての揺動駆動装置１２と該揺動駆動装置１２により揺動される身体支持手段としての身体支持部材１３とを備えている。
【００２７】
揺動駆動装置１２は、モータ２０と、減速機２１と、クランク機構２２と、リンク部材２３とから構成されている。
モータ２０は、基台１１の底部１１ａ上面に設けられるとともに、前記底部１１ａ上面に設けられる制御手段としてのコントローラ２４によりその駆動が制御されている。減速機２１は、基台１１の底部１１ａ上面に設けられるとともに、前記モータ２０と駆動連結され、モータ２０の駆動力を減速出力するものである。
【００２８】
クランク機構２２は、２つの接続部材２２ａ，２２ｂから構成されるとともに、減速機２１の回転駆動を半径の極めて大きな円弧運動に変換するものである。接続部材２２ａは、その基端が減速機２１の出力軸と一体回転可能に接続されるとともに、その先端が接続部材２２ｂの基端と回転可能に接続されている。接続部材２２ｂの先端は、身体支持部材１３が固定される四角枠状のベース部２５の下部と接続されている。
【００２９】
前記基台１１には、その底部１１ａから上方向に突設される支持枠１１ｂが備えられており、２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。尚、本実施形態では、身体支持部材１３が後方から前方へ移動する際の経路を往路とし、前方から後方へ移動する際の経路を復路としている。
【００３０】
ベース部２５の上部には、椅子型の身体支持部材１３を構成する座部３０がベース部２５と一体移動可能に固定されており、座部３０の後部に傾動可能に固定された背もたれ部３１と、座部３０の前部に固定されたオットマン３２と、座部３０の左右両側に固定された肘掛け部３３とが設けられている。
【００３１】
背もたれ部３１は、図２に示すように、該背もたれ部３１を傾動させる傾動機構としてのリクライニング機構３４がコントローラ２４により制御され、背もたれ部３１を適宜傾動させるようになっている。
【００３２】
また、背もたれ部３１には、上段両側に左右一対のエアバッグ４０，４１が使用者の左右肩部に対応して内装されるとともに、中段に背中用エアバッグとしてのエアバッグ４２，４３，４４が使用者の背部（背中上段、背中中段及び背中下段）に対応して内装され、下段両側にエアバッグ４５，４６が使用者の左右腰部に対応して内装されている。座部３０左右には、２つのエアバッグ４７，４８が使用者の臀部及び大腿部に対応して内装されている。オットマン３２左右には、２つのエアバッグ４９，５０が使用者の脚部に対応して内装されている。使用者の各部位に対応して設けられたエアバッグ４０〜５０は、図示しない接続ホースを介し、座部３０の下部に設けられたエアポンプ５１に向けて取り回されている。エアポンプ５１は、前記コントローラ２４によりその駆動が制御され、各エアバッグ４０〜５０の膨縮動作が可能となっている。
【００３３】
次に、上記の様に構成されたリラックス装置１０の動作について図１〜４を用いて説明する。
コントローラ２４は、揺動駆動装置１２を駆動して身体支持部材１３のリラックス揺動を実施するモード単独、若しくはそのリラックス揺動と各エアバッグ４０〜５０及び背もたれ部３１とを連動するモード等、各種の作動モードが設定されている。その中で、リフレッシュ機能を有するリラックス揺動モードがある。この作動モードでは、先ず使用者に対してリラックス効果を付与する［リラックス揺動］が実施され、所定時間経過すると［リラックス揺動］から［リフレッシュ揺動］へと切り替わって作動モードが終了するようになっている。
【００３４】
［リラックス揺動］
先ず、コントローラ２４は、座部３０と背もたれ部３１との間のリクライニング角度θを起立状態（例えばリクライニング角度θ＝１２０度）からリクライニング状態（例えばリクライニング角度θ＝１５０度）となるように、リクライニング機構３４を制御して背もたれ部３１を所定角度（例えば３０度）傾動させる。この時、背もたれ部３１の作動速度は漸減するように制御される。
【００３５】
そして、コントローラ２４は、使用者を覚醒状態からリラックス状態に導くように、時間経過に伴って身体支持部材１３の揺動動作の揺動間隔（周波数）を例えば０．３５Ｈｚから開始し、所定時間Ａまでの間で０．２Ｈｚまで０．０５Ｈｚ刻みで漸減させるようにモータ２０を制御するとともに、揺動動作の揺れ幅（振幅）にランダムなゆらぎを付与するようにモータ２０を制御してリラックス揺動を行う。さらに、コントローラ２４は、所定時間Ａまでエアポンプ５１を駆動させて、背もたれ部３１や座部３０に設けた複数のエアバッグ４０〜５０を、適宜、膨脹収縮動作させて使用者の身体をさすったり、伸ばしたりして筋肉を弛緩させるようなマッサージ効果を付与するようにしている。
【００３６】
そして、所定時間Ａ経過後、所定時間Ｂまで、コントローラ２４は、前記の最終動作、つまり身体支持部材１３を本実施形態の周波数の下限値である周波数０．２Ｈｚで、振幅にゆらぎが生じるようにモータ２０を制御し、使用者を更にリラックス状態から睡眠状態となるように揺動を続ける。また、所定時間Ａ，Ｂ間では、コントローラ２４はエアポンプ５１の駆動を停止させてエアバッグ４０〜５０の動作を停止させて収縮させた状態としている。
【００３７】
［リフレッシュ揺動］
所定時間Ｂ経過後、コントローラ２４は、使用者を睡眠状態（リラックス状態）から覚醒状態へと誘うように、揺動動作の周波数を０．２Ｈｚから０．３Ｈｚ、０．３Ｈｚから０．４Ｈｚ、０．４Ｈｚから０．６Ｈｚとなるように段階的に変化させるべくモータ２０を制御する。この時、周波数の変化のタイミングは、身体支持部材１３の揺動動作が例えば１０往復した後に変化するようにコントローラ２４にて制御されている。また、コントローラ２４は、周波数の変化のタイミングと同期させて振幅の大きさを段階的に増加するようにモータ２０を制御する。
【００３８】
そして、コントローラ２４は、上述の動作と並行して、エアポンプ５１を制御して、背もたれ部３１に内装されたエアバッグ４０〜５０の内で、使用者の右半身を特に押し上げるエアバッグ４１，４６，４８，５０と、使用者の左半身を特に押し上げるエアバッグ４０，４５，４７，４９とを交互に膨縮動作させて使用者の身体に捻り動作を付与する構成とされている。詳述すると、コントローラ２４は、先ず、エアポンプ５１を制御してエアバッグ４１，４６，４８，５０を膨張動作させるとともに膨張状態を例えば５秒程度維持させる。その後、コントローラ２４は、エアポンプ５１を制御して、エアバッグ４１，４６，４８，５０を収縮動作させるとともに、エアバッグ４０，４５，４７，４９を膨張動作させ、その膨張状態が例えば５秒程度維持させる。これらエアバッグ４１，４６，４８，５０とエアバッグ４０，４５，４７，４９とを交互に膨縮させる動作を繰り返し実施し、使用者の身体が捻られる捻り動作が行われるようになっている。尚、本実施形態では、エアバッグ４０，４１及びエアバッグ４５〜５０とエアポンプ５１と、コントローラ２４とで回旋手段を構成している。
【００３９】
このように、エアポンプ５１を駆動してエアバッグ４０，４５，４７，４９による膨縮動作とエアバッグ４１、４６，４８，５０による膨縮動作を交互に行うことで、使用者の左半身と右半身が交互に押し上げられて、使用者の身体に捻り動作を付与することができる。また、この捻り動作は、揺動方向（前後方向）とは異なる方向（左右方向）への捻り動作であるため、使用者にリラックス揺動とは異なる刺激を付与することができる。そのため、使用者をリラックス状態から覚醒状態へと導くリフレッシュ効果を付与することができる。
【００４０】
上述したエアバッグ動作終了後、コントローラ２４は、エアポンプ５１を制御してエアバッグ４２，４３，４４に空気を供給して背中を持ち上げるようにし、背中伸ばしを行うようになっている。
【００４１】
次に、本実施形態の特徴的な作用効果を記載する。
（１）身体支持部材１３は、使用者が着座可能な座部３０と、座部３０の後部に設けられる背もたれ部３１と、座部３０の前部に設けられるオットマン３２とから構成される。そして、回旋手段を構成するエアバッグ４０，４１及びエアバッグ４５〜５０は、座部３０、背もたれ部３１、及びオットマン３２の内の少なくとも１つの部材（本実施形態では全ての部材）に備えられ、エアバッグ４０，４１及びエアバッグ４５〜５０が備えられる座部３０、背もたれ部３１、及びオットマン３２に支持される使用者の身体に対して捻り動作が付与される。これにより、使用者の身体が揺動方向とは異なる方向に動作されるため、使用者にリラックス揺動とは異なる刺激を付与することでリラックス状態から覚醒状態へと導くリフレッシュ効果を付与することができる。
【００４２】
（２）回旋手段を構成するエアバッグ４０，４１及びエアバッグ４５〜５０は、座部３０、背もたれ部３１、及びオットマン３２に備えられるとともに、そのエアバッグ４０，４１及びエアバッグ４５〜５０により、使用者の身体を同一方向に回旋して使用者の身体に捻り動作が付与される。これにより、使用者の身体の大部分に対して捻り動作を行うことができるため、より効果的なリフレッシュ効果を付与することができる。
【００４３】
（３）回旋手段を構成するコントローラ２４によりエアポンプ５１が制御されてエアバッグ４０，４１及びエアバッグ４５〜５０が膨張されて所定時間（５秒程度）保持することで、使用者の身体の捻り動作中にその動作が停止された状態となり、使用者の捻り動作中の姿勢が保持されるため、その姿勢保持の間は捻り動作の刺激を与えることができ、より効果的なリフレッシュ効果を付与することができる。
【００４４】
（４）膨縮動作するエアバッグ４０，４１及びエアバッグ４５〜５０で構成される回旋手段にて、使用者の身体が揺動方向とは異なる方向に動作されるため、使用者にリラックス揺動とは異なる刺激を付与することでリラックス状態から覚醒状態へと導くリフレッシュ効果を付与することができる。また、エアバッグ４０，４１及びエアバッグ４５〜５０を用いて構成することで、比較的簡単な構成とでき、身体への捻り動作を容易に付与することができる。
【００４５】
尚、本発明の実施形態は、以下のように変更してもよい。
・上記実施形態では、回旋手段としてのエアバッグを座部３０、背もたれ部３１及びオットマン３２とに内装したが、これに限らず、例えば背もたれ部３１のみに設けて、使用者の身体（特に上半身）に捻り動作を行う構成としてもよい。つまり、使用者の上半身に対して捻り動作が行われることで、平衡感覚を司る三半規管が刺激されて、より効果的なリフレッシュ効果を付与することができる。
【００４６】
・上記実施形態では、使用者の右半身を押し上げるエアバッグ４１，４６，４８，５０と使用者の左半身を押し上げるエアバッグ４０，４５，４７，４９を設け、交互に膨縮動作させて、右半身の捻り動作と左半身の捻り動作とが交互に繰り返される構成としたが、これに限らない。例えば、背もたれ部３１に設けた右上半身用のエアバッグ４１，４６と座部３０に設けた左臀部及び左大腿部用のエアバッグ４７とを膨張動作させた後に、収縮動作させ、更に左上半身用のエアバッグ４０，４５と座部３０に設けた右臀部及び右大腿部用のエアバッグ４８とを膨張動作させる構成を採用してもよい。つまり、座部３０における捻り動作と、背もたれ部３１おける捻り動作とが逆方向となるように動作される構成を採用してもよい。これにより、使用者の身体に対して付与される捻り動作の捻り量が大きくなり、使用者に対して強い刺激を与えることができ、より効果的なリフレッシュ効果を付与することができる。尚、座部３０における捻り動作と、オットマン３２における捻り動作とが逆方向となるように動作される構成においても同様の効果を奏することができる。
【００４７】
・上記実施形態では、各エアバッグにより回旋手段を構成したが、これに限らない。例えば、図４に示すように背もたれ部３１及び座部３０に湾曲形状の回旋部材６０を設け、図５（ａ）（ｂ）に示すように各回旋部材６０の左右背面に配した押し上げ機構６１ａ，６１ｂにより交互に押し上げて使用者の身体（体幹Ｃ）を回旋させる（捻る）ように構成してもよい。尚、押し上げ機構６１ａ，６１ｂは、回旋部材６０を支持する支持プレート６２と、例えばコントローラ２４により前後方向の伸縮駆動が制御されるボールねじ機構からなる電動伸縮機構６３とで構成されている。そして、例えば、図５（ｂ）に示すように回旋部材６０の右背面に押し上げる押し上げ機構６１ｂを前方に伸長させることで、回旋部材６０が回旋して使用者の身体（体幹Ｃ）の右半身を押し上げて左方向に捻り動作を行うことができるようになっている。尚、回旋部材６０は、使用者の体幹Ｃの左右全幅に亘る幅を有しており、使用者の体幹Ｃを安定して支持し、確実に回旋（捻り）動作を行うことが可能となっている。更に、回旋部材６０の前面にウレタンウォーム等の発泡体、その他弾性体や低反発性材料を設ける構成を採用してもよく、この場合動作中における使用者の体幹Ｃへの負担が抑制される。
【００４８】
尚、上述の構成では、例えばボールねじ機構からなる電動伸縮機構６３で構成したが、要は、回旋部材６０を左右方向に押し上げる機構であればよい。
また、上述の構成に加え、回旋部材６０の例えば左右方向中心の後部側に回動軸を設けて、その回動軸を中心に回旋可能に支持され、その回動軸中心に回旋部材を回旋させて、捻り動作を付与する構成を採用してもよい。尚、この場合、前記回動軸を左右方向中心からずらした位置に配置しても捻り動作を行うことは可能である。
【００４９】
また、上述の回旋部材６０をエアバッグにて動作させる構成を採用してもよい。
・上記実施形態では、特に言及していないが、リフレッシュ揺動時（所定時間Ｂ経過後）に、例えば身体支持部材１３の前方への動作及び後方への動作の少なくとも一方の動作中に使用者の身体に捻り動作が付与される構成を採用してもよい。上記実施形態に適用するならば、身体支持部材１３の前方への動作中に使用者の右半身を押し上げるエアバッグ４１，４６，４８，５０を膨張動作させ、身体支持部材１３の後方への動作中に、エアバッグ４１，４６，４８，５０を収縮動作させるとともに使用者の左半身を押し上げるエアバッグ４１，４６，４８，５０を膨張させて捻り動作を付与するようにするとよい。このような構成とすることで、身体支持部材１３の揺動動作（前後方向への動作）と回旋手段を構成する各エアバッグによる捻り動作との連動感が増し、より効果的なリフレッシュ効果を付与することが可能となる。
【００５０】
また、リフレッシュ揺動時に、身体支持部材１３の前方への動作及び後方への動作の少なくとも一方が開始されると同時に、回旋手段（エアバッグ）により使用者の身体に捻り動作が付与される構成を採用してもよい。このような構成とすることで、身体支持部材１３の揺動動作と回旋手段を構成する各エアバッグによる捻り動作との連動感が更に増し、より効果的なリフレッシュ効果を付与することが可能となる。
【００５１】
・上記実施形態では、特に言及していないが、時間経過に伴って捻り量が漸増されるように使用者の身体に捻り動作が行われる構成を採用してもよい。このような構成とすることで、徐々に捻り量（捻り動作の刺激量）を増やされ、リラックス状態（睡眠状態）から徐々に覚醒状態へと導くことができるため、不快な目覚め（覚醒）を誘発することを抑制することができる。
【００５２】
・上記実施形態では、各エアバッグにより回旋手段を構成したが、身体支持部材１３を構成させる座部３０、背もたれ部３１及びオットマン３２を直接回旋させて回旋手段を構成してもよい。
【００５３】
・上記実施形態では、身体支持部材１３を前後方向に揺動動作させているが、例えば左右方向に揺動動作させてもよい。この場合、回旋手段としては前後方向に回旋されるものとする。
【００５４】
・上記実施形態では、リラックス揺動時に、身体支持部材１３の揺動動作の周波数を０．３５Ｈｚから０．２Ｈｚの間になるようにコントローラ２４により揺動駆動装置１２を制御しているが、リラックスさせるその他の周波数帯域で揺動駆動装置１２を制御してもよい。
【００５５】
・上記実施形態では、リフレッシュ揺動（リフレッシュ動作）時に、身体支持部材１３の揺動動作の周波数を０．２Ｈｚから段階的に０．６Ｈｚまで変化するようにコントローラ２４にて揺動駆動装置１２を制御しているが、リフレッシュさせるその他の周波数帯域を利用してもよい。
【００５６】
・上記実施形態では、所定時間Ａや所定時間Ｂとでコントローラ２４による各部の制御が切り替わるように構成されているが、これに限らず、例えば使用者がコントローラ２４による各部の制御を切り替え可能なスイッチを設けて、使用者の所望のタイミングで切り替えを行ってもよい。
【００５７】
・上記実施形態では、特に言及していないが、リラックス揺動やリフレッシュ揺動に対応した音楽や振動を付与する構成を追加してもよい。
【図面の簡単な説明】
【００５８】
【図１】本実施形態におけるリラックス装置の概略構成図である。
【図２】身体支持部材の斜視図である。
【図３】揺動動作の振幅及び周波数について説明するための説明図である。
【図４】別例における回旋手段について説明するための説明図である。
【図５】（ａ）（ｂ）別例における回旋手段について説明するための説明図である。
【符号の説明】
【００５９】
１０…リラックス装置、２４…回旋手段を構成するコントローラ、３０…身体支持手段としての座部、３１…身体支持手段としての背もたれ部、３２…身体支持手段としてのオットマン、４０，４１，４５，４６，４７，４８，４９，５０…回旋手段を構成するエアバッグ、５１…回旋手段を構成するエアポンプ。
【図１】
2010075406.tif 000003
【図２】
2010075406.tif 000004
【図３】
2010075406.tif 000005
【図４】
2010075406.tif 000006
【図５】
2010075406.tif 000007